(57)【要約】【課題】予備吐出により記録媒体上に形成された画像の剥がれを防止することを目的とする。【解決手段】黒色を含む複数色のインクを吐出する印字ヘッド１２と、連帳紙の非画像形成領域に予備吐出を行う場合に、黒色のインクと他の色のインクの少なくとも一部とが連帳紙上で接触するよう印字ヘッド１２を制御する制御部２０と、予備吐出が行われた連帳紙を乾燥する乾燥装置１８と、を備える。【選択図】図２
2016159584.tif 000002
【特許請求の範囲】
【請求項１】
黒色を含む複数色の液滴を吐出する吐出部と、
記録媒体の非画像形成領域に予備吐出を行う場合に、黒色の液滴と他の色の液滴の少なくとも一部とが前記記録媒体上で接触するよう前記吐出部を制御する制御部と、
前記複数色の液滴を乾燥する乾燥部と、
を備えた画像形成装置。
【請求項２】
前記制御部は、黒色の液滴と他の色の液滴の少なくとも一部とが前記記録媒体上で各々重なる位置、または前記記録媒体上で黒色の液滴と他の色の液滴とが合一する位置に、各々の色の液滴を吐出するよう前記吐出部を制御する請求項１に記載の画像形成装置。
【請求項３】
前記黒色の液滴は、予め定めた定着剤を含む請求項１又は請求項２に記載の画像形成装置。
【請求項４】
前記制御部は、黒色の液滴を他の色の液滴の上に吐出するよう前記吐出部を制御する請求項１〜３の何れか１項に記載の画像形成装置。
【請求項５】
前記吐出部は、黒色の液滴を吐出する黒色吐出部と、黒色以外の色の液滴を吐出する他色吐出部と、を有し、前記記録媒体の搬送方向に沿って、前記黒色吐出部、前記他色吐出部の順に配置した請求項４に記載の画像形成装置。
【請求項６】
前記制御部は、黒色の液滴、他の色の液滴、黒色の液滴の順で重ねるよう前記吐出部を制御する請求項１〜３の何れか１項に記載の画像形成装置。
【請求項７】
前記吐出部は、黒色の液滴を吐出する２つの黒色吐出部と、黒色以外の色の液滴を吐出する他色吐出部と、を有し、前記記録媒体の搬送方向に沿って、前記黒色吐出部、前記他色吐出部、前記黒色吐出部の順に配置した請求項６に記載の画像形成装置。
【請求項８】
前記乾燥部は、非接触型の赤外線ヒータである請求項１〜７の何れか１項に記載の画像形成装置。
【請求項９】
前記記録媒体は、非浸透性の記録媒体である請求項１〜８の何れか１項に記載の画像形成装置。
【請求項１０】
黒色を含む複数色の液滴を吐出する吐出部によって、黒色の液滴と他の色の液滴の少なくとも一部とが記録媒体上で接触するよう液滴を吐出することにより、前記記録媒体の非画像形成領域に予備吐出を行う画像形成方法。
【請求項１１】
コンピュータを、請求項１〜９の何れか１項に記載の画像形成装置の制御部として機能させるための画像形成プログラム。
【発明の詳細な説明】
【技術分野】
【０００１】
本発明は、画像形成装置、画像形成方法、及び画像形成プログラムに関する。
【背景技術】
【０００２】
特許文献１では、インク組成物を記録媒体に付与して画像を形成し、乾燥工程で乾燥させた後に、パウダー付与肯定でパウダーを付与することにより、記録媒体に付与されたインク組成物が他の印刷物に付着する現象を防止することが提案されている。
【０００３】
特許文献２では、ロール紙に記録される画像と画像との間に、予備吐出領域とカット基準ラインとを設けて、予備吐出領域の幅をカット基準領域の幅より小さくすることで、予備吐出領域及びカット基準ラインの誤認識を防止することが提案されている。
【先行技術文献】
【特許文献】
【０００４】
【特許文献１】特開２０１２−３０５３４号公報
【特許文献２】特開２００７−１４４７９２号公報
【発明の概要】
【発明が解決しようとする課題】
【０００５】
黒色の液滴と他の色の液滴とで乾燥性が異なり、予備吐出により記録媒体上に形成された画像が剥がれることがあった。本発明は、予備吐出により記録媒体上に形成された画像の剥がれを防止することを目的とする。
【課題を解決するための手段】
【０００６】
請求項１に記載の画像形成装置は、  黒色を含む複数色の液滴を吐出する吐出部と、記録媒体の非画像形成領域に予備吐出を行う場合に、黒色の液滴と他の色の液滴の少なくとも一部とが前記記録媒体上で接触するよう前記吐出部を制御する制御部と、前記複数色の液滴を乾燥する乾燥部と、を備える。
【０００７】
請求項２に記載の発明は、請求項１に記載の発明において、前記制御部は、黒色の液滴と他の色の液滴の少なくとも一部とが前記記録媒体上で各々重なる位置、または前記記録媒体上で黒色の液滴と他の色の液滴とが合一する位置に、各々の色の液滴を吐出するよう前記吐出部を制御する。
【０００８】
請求項３に記載の発明は、請求項１又は請求項２に記載の発明において、前記黒色の液滴は、予め定めた定着剤を含む。
【０００９】
請求項４に記載の発明は、請求項１〜３の何れか１項に記載の発明において、前記制御部は、黒色の液滴を他の色の液滴の上に吐出するよう前記吐出部を制御する。
【００１０】
請求項５に記載の発明は、請求項４に記載の発明において、前記吐出部は、黒色の液滴を吐出する黒色吐出部と、黒色以外の色の液滴を吐出する他色吐出部と、を有し、前記記録媒体の搬送方向に沿って、前記黒色吐出部、前記他色吐出部の順に配置した。
【００１１】
請求項６に記載の発明は、請求項１〜３の何れか１項に記載の発明において、前記制御部は、黒色の液滴、他の色の液滴、黒色の液滴の順で重ねるよう前記吐出部を制御する。
【００１２】
請求項７に記載の発明は、請求項６に記載の発明において、前記吐出部は、黒色の液滴を吐出する２つの黒色吐出部と、黒色以外の色の液滴を吐出する他色吐出部と、を有し、前記記録媒体の搬送方向に沿って、前記黒色吐出部、前記他色吐出部、前記黒色吐出部の順に配置した。
【００１３】
請求項８に記載の発明は、請求項１〜７の何れか１項に記載の発明において、前記乾燥部は、非接触型の赤外線ヒータである。
【００１４】
請求項９に記載の発明は、請求項１〜８の何れか１項に記載の発明において、前記記録媒体は、非浸透性の記録媒体である。
【００１５】
請求項１０に記載の画像形成方法は、黒色を含む複数色の液滴を吐出する吐出部によって、黒色の液滴と他の色の液滴の少なくとも一部とが記録媒体上で接触するよう液滴を吐出することにより、前記記録媒体の非画像形成領域に予備吐出を行う。
【００１６】
請求項１１に記載の画像形成プログラムは、コンピュータを、請求項１〜９の何れか１項に記載の画像形成装置の制御部として機能させる。
【発明の効果】
【００１７】
請求項１に記載の発明によれば、黒色と他の色の液滴をそれぞれ異なる位置に吐出する場合と比較して、予備吐出により記録媒体上に形成された画像の剥がれを防止することが可能な画像形成装置を提供することができる。
【００１８】
請求項２に記載の発明によれば、黒色と他の色の液滴をそれぞれ異なる位置に吐出する場合と比較して、液滴の乾燥性を向上することができる。
【００１９】
請求項３に記載の発明によれば、黒色の液滴に定着剤を含まない場合と比較して、画像の剥がれを防止することができる。
【００２０】
請求項４に記載の発明によれば、黒色と他の色の液滴をそれぞれ異なる位置に吐出する場合と比較して、黒色よりも乾燥性が劣る他の色の液滴を保護することができる。
【００２１】
請求項５に記載の発明によれば、記録媒体の搬送方向を逆方向にすることなく、黒色の液滴を他の色の液滴の上に吐出することができる。
【００２２】
請求項６に記載の発明によれば、黒色と他の色の液滴をそれぞれ異なる位置に吐出する場合と比較して、黒色よりも乾燥性が劣る他の色の液滴を保護することができる。
【００２３】
請求項７に記載の発明によれば、記録媒体の搬送方向を逆方向にすることなく、黒色の液滴、他の色の液滴、黒色の液滴の順に重ねるように液邸を吐出することができる。
【００２４】
請求項８に記載の発明によれば、接触型のヒータで乾燥する場合と比較して、画像の剥がれを防止することができる。
【００２５】
請求項９に記載の発明によれば、記録媒体として浸透性の記録媒体を用いる場合と比較して、滴量が増えることによる記録媒体の切れを抑制することができる。
【００２６】
請求項１０に記載の発明によれば、黒色と他の色の液滴をそれぞれ異なる位置に吐出する場合と比較して、予備吐出により記録媒体上に形成された画像の剥がれを防止することが可能な画像形成方法を提供することができる。
【００２７】
請求項１１に記載の発明によれば、黒色と他の色の液滴をそれぞれ異なる位置に吐出する場合と比較して、予備吐出により記録媒体上に形成された画像の剥がれを防止することが可能な画像形成プログラムを提供することができる。
【図面の簡単な説明】
【００２８】
【図１】本実施形態に係る画像形成装置の概略構成を示す図である。
【図２】本実施形態に係る画像形成装置の制御系の構成を示すブロック図である。
【図３】（Ａ）はＣ色とＫ色、Ｍ色とＫ色、Ｙ色とＫ色が、それぞれ重なるように、予備吐出を行った例を示し、（Ｂ）はＣ色、Ｍ色、Ｙ色、及びＫ色が各々重なるように、予備吐出を行った例を示し、（Ｃ）はそれぞれの色毎にライン状の画像を形成するように予備吐出を行った例を示す。
【図４】本実施形態に係る画像形成装置の制御部で行われる処理の流れの一例を示すフローチャートである。
【図５】（Ａ）はＣ色とＫ色、Ｍ色とＫ色、Ｙ色とＫ色がそれぞれ重なってそれぞれがライン状となるように予備吐出を行った形態を示す。（Ｂ）はＣ色、Ｍ色、Ｙ色、Ｋ色のインクを各々吐出するプロセスブラックでライン状となるように予備吐出を行った形態を示す。（Ｃ）は非画像領域においてランダムの位置にインクを吐出し、かつＫ色と他の色とが重なるように予備吐出を行った形態を示す。
【図６】（Ａ）は、複数列づつ各々の色をそれぞれライン状に予備吐出を行った形態を示し、（Ｂ）は非画像形成領域においてそれぞれの色をランダムの位置にインクを吐出した形態を示す。
【図７】Ｋ色の印字ヘッド１２Ｋを２つ設けて、Ｋ色、Ｙ色、Ｍ色、Ｃ色、Ｋ色の順に印字ヘッド１２を配置した例を示す図である。
【発明を実施するための形態】
【００２９】
以下、本実施の形態について図面を参照しつつ説明する。図１は、本実施形態に係る画像形成装置の概略構成を示す図である。なお、本実施形態では、液滴としてインクを吐出する画像形成装置を一例として説明する。
【００３０】
図１に示すように、画像形成装置１０は、記録媒体としての連帳紙Ｐの搬送方向に対して上流側から、Ｙ（イエロー）、Ｍ（マゼンタ）、Ｃ（シアン）、Ｋ（黒）の色のインクを吐出する印字ヘッド（１２Ｙ、１２Ｍ、１２Ｃ、１２Ｋ）１２が順に配列されている。また、各色の印字ヘッド１２に対応して各色のインクを収容するインクタンク（１４Ｙ、１４Ｍ、１４Ｃ、１４Ｋ）１４を備えている。以下では、各色の印字ヘッド１２Ｙ、１２Ｍ、１２Ｃ、１２Ｋ及びインクタンク１４Ｙ、１４Ｍ、１４Ｃ、１４Ｋを特に区別しないで説明する場合には、符号末尾の添字を省略し、印字ヘッド１２及びインクタンク１４と称する。
【００３１】
また、画像形成装置１０は、連帳紙Ｐを搬送する無端ベルト状の搬送体や、連帳紙を搬送するための複数のローラ等を含む搬送部１６備えており、搬送部１６によって連帳紙Ｐが搬送される。
【００３２】
各色のインクを吐出する各印字ヘッド１２は、連帳紙Ｐの最大幅に対応する領域が印字領域とされている。すなわち、各印字ヘッド１２には、インク滴を吐出する液滴イジェクタ（ノズル）が連帳紙Ｐの幅方向に複数個配列されている。なお、各印字ヘッド１２のノズル列は、１列としてもよいし、複数列配列してもよい。この画像形成装置１０は、印字ヘッド１２を主走査することなく固定したまま、連帳紙のみを搬送しながら記録を行うことで連帳紙の全幅に印字する。また、印字ヘッド１２は、複数の印字ユニットを記録媒体の幅方向を網羅するように配置する構成としてもよい。
【００３３】
各印字ヘッド１２の液滴イジェクタは、インク滴を吐出するためのノズルに接続されるインク圧力室、及びインク圧力室に接して設けられた圧電素子（図示省略）を含んで構成されている。圧電素子は、周知のように電圧を印加することにより形状が変化する性質を有しており、この形状変化を利用してインク圧力室に圧力をかけ、ノズルからインク滴を吐出して、連帳紙Ｐ上にドットを記録する。この時、圧電素子に印加する電圧の駆動波形を制御することによって、ノズルから大滴、中滴、小滴の３種類のサイズのインク滴を吐出する。また、ノズルからインク滴を吐出しない場合（敵無し）には、ノズルからインク滴が吐出されないような波形の電圧を印加することによって、インクの粘度増加を抑制する。なお、本実施形態では、大中小の３種類の大きさの液滴を吐出する例を説明するが、大小の２種類の大きさの液滴としてもよいし、４種類以上の大きさの液滴を吐出してもよい。
【００３４】
また、印字ヘッド１２の連帳紙Ｐの搬送方向下流側には、連帳紙Ｐに吐出されたインクを乾燥するために乾燥装置１８が設けられている。本実施形態では、乾燥装置１８は、赤外線ヒータが適用されるものとするが、他のヒータを採用してもよい。赤外線ヒータとしては、例えば、予め定めた波長の範囲の赤外線を発生する近赤外線ヒータを適用してもよい。
【００３５】
なお、記録媒体として適用される連帳紙Ｐは、本実施形態では、非浸透性の記録媒体を適用するが、浸透性の記録媒体等の他の記録媒体を適用してもよい。また、非浸透性の記録媒体とは、本実施形態では、インク滴が記録媒体に浸透しない又は浸透し難い記録媒体を指す。具体的には、非浸透性の記録媒体としては、コート紙、樹脂フィルム等が挙げられる。さらに具体的には、非浸透性の記録媒体は、動的走査吸液計で測定した接触時間５００ｍｓ以内におけるインクの最大吸液量が１５ｍｌ／ｍ２以下である記録媒体を意味する。
【００３６】
次に、本実施形態に係る画像形成装置１０の制御系の構成について説明する。図２は、本実施形態に係る画像形成装置１０の制御系の構成を示すブロック図である。
【００３７】
画像形成装置１０は、画像形成動作を制御するための制御部２０を備えている。制御部２０には、搬送部１６、印字ヘッド１２、及び乾燥装置１８が接続されている。
【００３８】
制御部２０は、搬送部１６の駆動を制御することにより、連帳紙Ｐを印字ヘッド１２の位置へ搬送し、各色の印字ヘッド１２からのインクの吐出タイミングを制御して連帳紙Ｐに画像を形成する。
【００３９】
また、制御部２０は、搬送部１６の駆動を制御して画像形成された連帳紙Ｐを乾燥装置１８の位置まで搬送し、乾燥装置１８を作動することにより、連帳紙Ｐに吐出されたインクを乾燥する。
【００４０】
また、本実施形態のように、インク滴を吐出する印字ヘッド１２では、ノズルの詰まりを防止するために、ノズル内のインクの乾燥を防止する必要がある。そこで、本実施形態では、非画像形成領域に各色のインクを吐出することで、ノズル内のインクの乾燥を防止するための予備吐出（所謂ダミージェット）を行うようになっている。すなわち、制御部２０は、画像と画像の間の非画像形成領域にインクを吐出するように、印字ヘッド１２を制御する。なお、非画像形成領域か否かの判定は、搬送部１６の搬送量から判定してもよいし、センサ等を設けて判定してもよい。なお、画像領域に形成される画像（ページ画像）は、パーソナルコンピュータ等の外部の機器からの画像情報に基づいて形成される画像である。また、予備吐出とは、ノズル内のインクの乾燥を防止するために非画像形成領域に各色のインクを吐出することであって、且つ予備吐出により形成される画像はページ画像とは異なる画像である。また、非画像形成領域としては、画像と画像の間に限るものではなく、媒体の一部の領域の一部を非画像形成領域として予め指定してもよい。例えば、外部からの入力情報に基づく画像の一部が空白(非画像形成領域)となるように指定してもよい。
【００４１】
ところで、予備吐出は、上述したように、インクの乾燥を防止するために、非画像形成領域にインクを吐出するが、形成される画像は、例えば、図３（Ｃ）に示すように、それぞれの色毎にライン状の画像を形成するのが一般的である。
【００４２】
しかしながら、Ｋ色のインクと他の色のインクとでは、乾燥性が異なり、Ｋ色のインクは他の色のインクよりも乾燥し易い。特に、本実施形態のように赤外線ヒータを乾燥装置１８として適用する場合には、インクの色により乾燥装置１８で加熱された際のインク滴到達温度が異なり、乾燥性に差が生じる。具体的には、水の吸収波長に設定されている赤外線ヒータにより加熱された黒色は、色材であるカーボンブラック（吸収波長が他の色のインクより広い）により温度が高く成りやすく他の色に比べて乾燥し易い。このように、インクの色によって乾燥性が異なることにより、乾燥装置１８で乾燥してもＫ色以外のインクを予備吐出することで形成された画像が搬送ローラ等で剥がれてしまうことがある。
【００４３】
そこで、本実施形態では、予備吐出を行う場合に、黒色のインクと他の色のインクの少なくとも一部とが連帳紙Ｐ上で接触するよう制御部２０が印字ヘッド１２を制御する。なお、本実施形態において、インクの接触とは、各々の色のインクが重なる場合や混じる場合を含む。
【００４４】
具体的には、インクを連帳紙Ｐに吐出した場合に、Ｋ色のインクと他の色のインクの少なくとも一部とが各々重なる位置、或いは、連帳紙Ｐ上でそれぞれの色のインクが合一する位置に、インクを吐出するように、制御部２０が印字ヘッド１２を制御する。例えば、図３（Ａ）に示すように、Ｃ色とＫ色、Ｍ色とＫ色、Ｙ色とＫ色がそれぞれ重なるように予備吐出を行う。或いは、図３（Ｂ）に示すように、Ｃ色、Ｍ色、Ｙ色、及びＫ色が各々重なるように予備吐出を行う。これにより、Ｋ色のインクが他のインクに混じることで他の色のインクの乾燥性が向上される。
【００４５】
また、本実施形態では、Ｋ色のインクには、定着性を向上するための定着剤を添加して、他の色のインクよりも定着性を向上するようにしている。これにより、Ｋ色のインクに含まれる定着性を向上する定着剤により、予備吐出により形成された画像の剥がれが確実に防止される。ここで、本実施形態では、Ｋ色のインクに定着剤を添加した例を説明するが、他の色（例えば、全色又は一部の色）のインクにも定着剤（例えば、ポリマー粒子）を添加する場合を除外するものではない。
【００４６】
なお、予備吐出を行う際に、Ｋ色のインクと他の色のインクが重なるようにインクを吐出する場合、重ね打ちによる紙切れを防止するために、Ｋ色のインクの滴量を少なく（液滴の大きさを小さく）することが好ましい。特に浸透性の記録媒体を用いる場合には、インクを重ねた場合の液量を減少させる必要がある。一方、本実施形態のように、非浸透性の記録媒体を用いた場合には、重ね打ちによる紙切れの心配は少なくなる。
【００４７】
続いて、上述のように構成された本実施形態に係る画像形成装置１０の制御部２０で行われる処理について説明する。図４は、本実施形態に係る画像形成装置１０の制御部２０で行われる処理の流れの一例を示すフローチャートである。なお、図４の処理は、画像形成の開始が指示された場合に開始する。また、図４の処理は、制御部２０に予め記憶された画像形成プログラムを実行することにより行われる処理として説明する。
【００４８】
まず、ステップ１００では、制御部２０が搬送部１６の駆動を制御することにより、連帳紙Ｐの搬送を開始してステップ１０２へ移行する。
【００４９】
ステップ１０２では、連帳紙Ｐが画像形成領域まで搬送されたか否かを制御部２０が判定する。該判定は、印字ヘッド１２の印字可能な部分に連帳紙Ｐが到達したか否かを判定する。例えば、搬送部Ｐの搬送量が予め定めた搬送量搬送したか否かを検出してもよいし、センサ等によって連帳紙Ｐの位置を検出して判定してもよい。該判定が肯定されるまで待機してステップ１０４へ移行する。
【００５０】
ステップ１０４では、制御部２０が印字ヘッド１２を制御して画像形成を行ってステップ１０６へ移行する。すなわち、画像情報に応じたインクを各色の印字ヘッド１２から吐出するように制御部２０が各色の印字ヘッドを制御する。
【００５１】
ステップ１０６では、非画像形成領域か否かを制御部２０が判定する。該判定は、例えば、１ページ分の画像形成が終了して、連帳紙Ｐの画像と画像の間の非画像形成領域に印字ヘッド１２が位置するか否かを判定する。さらに具体的には、画像形成を開始してから連帳紙の搬送が１ページ分の搬送量に達したか否か等を判定する。該判定が否定された場合には肯定されるまで待機してステップ１０８へ移行する。
【００５２】
ステップ１０８では、制御部２０が印字ヘッド１２を制御して、予備吐出動作を行ってステップ１１０へ移行する。すなわち、上述したように、Ｋ色のインクと他の色のインクが重なる、或いは、連帳紙Ｐ上で合一する位置に、印字ヘッド１２からインクを連帳紙Ｐに吐出させる。これにより、Ｋ色のインクが他の色のインクに混じることにより、乾燥が促進され、Ｋ色以外の色のインクを単独で吐出した場合に比べて乾燥性が向上される。特に、本実施形態では、赤外線ヒータを乾燥装置１８として適用しているので、Ｋ色の乾燥性が他の色よりも顕著によい。このため他のインクとＫ色のインクとが交ざることにより、他のインクの乾燥性が向上される。また、Ｋ色のインクに含まれる定着性を向上する材料により、予備吐出により形成された画像の剥がれが確実に防止される。さらには、本実施形態では、Ｋ色の印字ヘッド１２Ｋが他の色に対して搬送方向下流側に位置するので、他の色よりも定着性が高いＫ色のインクにより表面がコーティングされ、画像が剥がれ難くなる。
【００５３】
ステップ１１０では、画像形成が終了か否かを制御部２０が判定する。該判定は、例えば、画像情報に対応する画像の形成が全て終了したか否か等を制御部２０が判定する。該判定が否定された場合には、残りの画像を形成すべくステップ１０４に戻って、上述の処理が繰り返され、判定が肯定されたところで一連の処理を終了する。
【実施例】
【００５４】
以下に、本発明を実施例により具体的に説明するが、本発明はこれらの実施例に何ら限定されるものではない。
【００５５】
具体的には、色毎に予備吐出を行った場合と、Ｋ色と他の色が重なる、或いは連帳紙上で合一するように予備吐出を行った場合と、において、形成された画像の剥がれの確認結果について説明する。
【００５６】
印刷速度１００[m/min]、赤外線ヒータからなる乾燥装置１８を有する画像形成装置１０で、印字ヘッド１２は６００[dpi]のピエゾヘッド（最大適量11[pl]）を用いた。
【００５７】
（Ｋ色のインク（印刷コート紙適正あり））
【００５８】
・カーボンブラック（Ｍｏｇｕｌ  Ｌ：キャボット（株）製）（着色剤）：５質量％
【００５９】
・スチレン／アクリル酸共重合体ナトリウム中和物：２．５質量％
【００６０】
（水溶性樹脂、重量平均分子量＝３００００）
【００６１】
・ＴＯＣＲＹＬ  Ｗ−４６２７（アクリル系エマルション；トーヨーケム社製）：２．０質量％（固形分）
【００６２】
（高分子粒子、体積平均粒径＝０．１２μｍ、ガラス転移温度＝４５℃）
【００６３】
・グリセリン：１０質量％
【００６４】
・ジエチレングリコール：１０質量％
【００６５】
・界面活性剤（オルフィンE1010、サーフィノール104PG-50）：それぞれ２質量％
【００６６】
・イオン交換水：  残部
【００６７】
上記組成を混合したのち、５μｍのフィルターでろ過を行い、水性インク（Ｋインク）を得た。
【００６８】
なお、界面活性剤は、上記以外に、オルフィンE1010、EXP.4001、EXP.4123、EXP.4300：アセチレンジオールの酸化エチレン付加物、シルフェイスSAG002、SAG503A：ポリエーテル変性シリコーンを用いてもよい。
【００６９】
（Ｃ、Ｍ、Ｙ色のインク（印刷コート紙適正なし））
【００７０】
顔料、樹脂分散剤、グリセリン、ジエチレングリコール、ブチルカルビトール、オルフィンE1010を含む。なお、樹脂エマルション、疎水性界面活性剤なしとする。
【００７１】
（記録媒体）
【００７２】
・Okトップコード＋104.7[g/m2]（王子製紙製）
【００７３】
予備吐出の形態は、図５、６に示す形態を用いた。詳細には、図５（Ａ）に示す形態を第１実施例、図５（Ｂ）に示す形態を第２実施家例、図５（Ｃ）に示す形態を第３実施例として、各々画像の剥がれの確認を行った。また、図６（Ａ）に示す形態を第１比較例、図６（Ｂ）に示す形態を第２比較例とし、各々画像の剥がれの確認を行った。なお、図５（Ａ）は、Ｃ色とＫ色、Ｍ色とＫ色、Ｙ色とＫ色がそれぞれ重なってそれぞれがライン状となるように予備吐出を行った形態を示す。図５（Ｂ）は、Ｃ色、Ｍ色、Ｙ色、Ｋ色のインクを各々吐出するプロセスブラックでライン状となるように予備吐出を行った形態を示す。図５（Ｃ）は非画像領域においてランダムの位置にインクを吐出し、かつＫ色と他の色とが重なるように予備吐出を行った形態を示す。一方、図６（Ａ）は、複数列づつ各々の色をそれぞれライン状に予備吐出を行った形態を示す。図６（Ｂ）は、非画像形成領域においてそれぞれの色をランダムの位置にインクを吐出した形態を示す。
【００７４】
画像の剥がれの確認結果は、以下の表に示すように、第１実施例〜第３実施例については画像の剥がれもなく良好となった。一方、第１及び第２比較例では、画像の剥がれがあった。
【００７５】
【表１】
2016159584.tif 000003
【００７６】
なお、上記の実施形態では、Ｙ色、Ｍ色、Ｃ色、Ｋ色の順に各色の印字ヘッド１２を配置したので、この順にインクが吐出されるが、これに限るものではない。例えば、Ｋ色の印字ヘッド１２Ｋを連帳紙Ｐ搬送方向の上流側に配置して先に吐出する構成としてもよい。或いは、予備吐出を行う際に、Ｋ色のインクで他の色のインクを挟むように吐出してもよい。例えば、図７に示すように、Ｋ色の印字ヘッド１２Ｋを２つ設けて、Ｋ色、Ｙ色、Ｍ色、Ｃ色、Ｋ色の順に各色の印字ヘッドを配置した印字ヘッド１３を適用し、予備吐出を行う際に、Ｋ色のインクで他の色のインクを挟むように吐出してもよい。この場合には、記録媒体の切れを防止するために、Ｋ色及び他の色のインクの液量を減少させる方が好ましい。
【００７７】
また、上記の実施形態では、赤外線ヒータを乾燥装置１８として適用したが、これに限るものではなく、他の形態の乾燥装置を適用してもよい。また、非接触型の乾燥装置に限るものではなく、接触型の乾燥装置を適用してもよい。
【００７８】
また、上記の実施形態では、非画像形成領域に予備吐出を行う例を説明したが、画像形成領域に予備吐出を行うようにしてもよい。例えば、画像形成領域の端部付近等に、目立ちにくい小さなドットを形成するよう予備吐出を行ってもよい。
【００７９】
また、上記の実施形態は、画像形成プログラムをコンピュータに実行させることにより、図４の処理を行う例を説明したが、画像形成プログラムによって実行される処理の一部または全てをハードウエアで行うようにしてもよい。
【００８０】
また、上記の実施形態に係る画像形成装置１０によって行われる処理は、プログラムとして記憶媒体に記憶して流通させるようにしてもよい。
【００８１】
また、本発明は、上記に限定されるものでなく、上記以外にも、その主旨を逸脱しない範囲内において種々変形して実施可能であることは勿論である。
【符号の説明】
【００８２】
１０    画像形成装置
１２    印字ヘッド
１８    乾燥装置
２０    制御部
Ｐ    記録媒体
【図１】
2016159584.tif 000004
【図２】
2016159584.tif 000005
【図７】
2016159584.tif 000006
【図３】
2016159584.tif 000007
【図４】
2016159584.tif 000008
【図５】
2016159584.tif 000009
【図６】
2016159584.tif 000010